(57)【要約】【課題】  面ガラスの外観を特に損なうことなく、四辺形に組まれた軸組の変形を防止できるようにする。【解決手段】  四辺形に組まれた軸組Ａの内側に、その内側を覆う面ガラスＢを固定してある面ガラス固定構造であって、軸組における面ガラスを挟む二箇所に、面ガラスを固定する固定部５を設け、その固定部を、面ガラスを挟む二箇所がガラス面に沿う方向で互いに離間するように変位するに伴って、面ガラス側の各固定部間に引っ張り力Ｆｔが作用し、二箇所がガラス面に沿う方向で互いに近接するように変位するに伴って、面ガラス側の各固定部間に圧縮力Ｆｃが作用しないように設けてある。【選択図】        図２
2005299315.tif 000002
【特許請求の範囲】
【請求項１】
四辺形に組まれた軸組の内側に、その内側を覆う面ガラスを固定してある面ガラス固定構造であって、
前記軸組における前記面ガラスを挟む二箇所に、前記面ガラスを固定する固定部を設け、
前記固定部を、
前記二箇所がガラス面に沿う方向で互いに離間するように変位するに伴って、前記面ガラス側の各固定部間に引っ張り力が作用し、
前記二箇所がガラス面に沿う方向で互いに近接するように変位するに伴って、前記面ガラス側の各固定部間に圧縮力が作用しないように設けてある面ガラス固定構造。
【請求項２】
前記二箇所の組み合わせの複数を、前記軸組の変形に伴って、少なくとも一組の組み合わせにおいて前記面ガラス側の各固定部間に引っ張り力が作用するように配置してある請求項１記載の面ガラス固定構造。
【請求項３】
前記二箇所の組み合わせの複数を、前記二箇所の組み合わせ毎の前記引っ張り力の作用方向が互いに交差するように配置してある請求項１記載の面ガラス固定構造。
【請求項４】
前記二箇所のうちの少なくとも一箇所が、前記軸組のコーナー部である請求項１〜３のいずれか１項記載の面ガラス固定構造。
【請求項５】
前記二箇所のうちの少なくとも一箇所が、前記軸組を構成している軸部の長手方向中間位置である請求項１〜３のいずれか１項記載の面ガラス固定構造。
【発明の詳細な説明】
【技術分野】
【０００１】
本発明は、四辺形に組まれた軸組の内側に、その内側を覆う面ガラスを固定してある面ガラス固定構造に関する。
【背景技術】
【０００２】
上記面ガラス固定構造では、従来、ガラス面に沿う方向の圧縮力が面ガラスに作用すると、その面ガラスが座屈変形して、引っ張り側に発生したクラックに起因して破損し易い点を考慮して、面ガラスを強度部材として軸組の内側に固定することは行われておらず、面ガラスに圧縮力が極力作用しないように、緩衝材などを介して、四辺形に組まれた軸組の内側に固定している（慣用技術であり、先行技術文献情報を開示できない）。
また、軸組構造においては、四辺形に組まれた軸組の風や地震などによる水平力による変形、つまり、軸組の一方の対角線に沿って互いに対向する二つのコーナー部における軸部どうしの交差角が拡がり、他方の対角線に沿って互いに対向する二つのコーナー部における軸部どうしの交差角が狭まるような変形を防止するために、金属製ブレース（筋かい）を設けることが一般に行われている。
【発明の開示】
【発明が解決しようとする課題】
【０００３】
このため、四辺形に組まれた軸組の変形を防止するために、面ガラスをガラス面に沿って横断するようなブレースを設けると、面ガラスを通した視界がブレースで遮られて、面ガラスの外観を損なう欠点があり、引っ張り強度が強い大型のブレースを設けるほど、面ガラスの外観も大きく損なう欠点がある。
本発明は上記実情に鑑みてなされたものであって、面ガラスの外観を特に損なうことなく、四辺形に組まれた軸組の変形を防止できるようにすることを目的とする。
【課題を解決するための手段】
【０００４】
本発明の第１特徴構成は、四辺形に組まれた軸組の内側に、その内側を覆う面ガラスを固定してある面ガラス固定構造であって、前記軸組における前記面ガラスを挟む二箇所に、前記面ガラスを固定する固定部を設け、前記固定部を、前記二箇所がガラス面に沿う方向で互いに離間するように変位するに伴って、前記面ガラス側の各固定部間に引っ張り力が作用し、前記二箇所がガラス面に沿う方向で互いに近接するように変位するに伴って、前記面ガラス側の各固定部間に圧縮力が作用しないように設けてある点にある。
【０００５】
〔作用及び効果〕
四辺形に組まれた軸組における面ガラスを挟む二箇所に、面ガラスを固定する固定部を設けて、それらの固定部を設けてある二箇所がガラス面に沿う方向で互いに離間するように変位するに伴って、面ガラス側の各固定部間に引っ張り力が作用するように、それらの固定部を設けてあるので、固定部を設けてある二箇所がガラス面に沿う方向で互いに離間するような軸組の変形を、引っ張り強度が強い大型のブレースを特に設けることなく、面ガラス側の各固定部間に引っ張り力を作用させて防止することができる。
また、それらの固定部を設けてある二箇所がガラス面に沿う方向で互いに近接するように変位するに伴って、面ガラス側の各固定部間に圧縮力が作用しないように、それらの固定部を設けてあるので、固定部を設けてある二箇所がガラス面に沿う方向で互いに近接するように軸組が変形しても、面ガラスが座屈変形して破損するようなおそれが少ない。
従って、面ガラスの外観を特に損なうことなく、四辺形に組まれた軸組の変形を防止できる。
【０００６】
本発明の第２特徴構成は、前記二箇所の組み合わせの複数を、前記軸組の変形に伴って、少なくとも一組の組み合わせにおいて前記面ガラス側の各固定部間に引っ張り力が作用するように配置してある点にある。
【０００７】
〔作用及び効果〕
固定部を設けてある軸組における二箇所の組み合わせの複数を、四辺形に組まれた軸組の変形に伴って、少なくとも一組の組み合わせにおいて面ガラス側の各固定部間に引っ張り力が作用するように配置してあるので、軸組が、一方の対角線に沿って互いに対向する二つのコーナー部における軸部どうしの交差角が拡がり、他方の対角線に沿って互いに対向する二つのコーナー部における軸部どうしの交差角が狭まるように変形しても、少なくとも一組の組み合わせにおいて面ガラス側の各固定部間に引っ張り力を作用させて、四辺形に組まれた軸組の変形を効果的に防止できる。
【０００８】
本発明の第３特徴構成は、前記二箇所の組み合わせの複数を、前記二箇所の組み合わせ毎の前記引っ張り力の作用方向が互いに交差するように配置してある点にある。
【０００９】
〔作用及び効果〕
固定部を設けてある軸組における二箇所の組み合わせの複数を、二箇所の組み合わせ毎の引っ張り力の作用方向が互いに交差するように配置してあるので、四辺形に組まれた軸組の内側に固定してある面ガラスのガラス面に沿う任意の方向への変位を防止し易い。
【００１０】
本発明の第４特徴構成は、前記二箇所のうちの少なくとも一箇所が、前記軸組のコーナー部である点にある。
【００１１】
〔作用及び効果〕
固定部を設けてある軸組における二箇所のうちの少なくとも一箇所が、軸組のコーナー部であるので、そのコーナー部において軸部どうしの交差角が狭まるような軸組の変形を、面ガラス側の各固定部間に作用する引っ張り力が小さい状態で、しかも、軸組を構成している軸部が曲げ変形しにくい状態で防止することができる。
【００１２】
本発明の第５特徴構成は、前記二箇所のうちの少なくとも一箇所が、前記軸組を構成している軸部の長手方向中間位置である点にある。
【００１３】
〔作用及び効果〕
固定部を設けてある軸組における二箇所のうちの少なくとも一箇所が、軸組を構成している軸部の長手方向中間位置であるので、軸部の長手方向中間位置の何れかに固定部を設けることができ、固定部を軸組に設けるにあたって、その設ける位置を必要に応じて選択し易い。
【発明を実施するための最良の形態】
【００１４】
以下に本発明の実施の形態を図面に基づいて説明する。
〔第１実施形態〕
図１，図２は、四辺形に組まれた軸組Ａの内周側に、その内周側を覆う強化ガラスからなる面ガラスＢを固定してある本発明による面ガラス固定構造を示し、上下の床スラブを各別に支持している梁部材１と、梁部材１を支持している支柱２とを建物外壁部に設けて、上下の梁部材１と左右の支柱２とを軸部３とする四角形に組まれた軸組Ａを設け、各梁部材１と各支柱２とに沿って四角形の面ガラスＢを固定してある。
【００１５】
前記面ガラスＢは、上下の梁部材１及び左右の支柱２の内周側に金属製リブ板４を枠状に固定し、軸組Ａにおける二つの対角線Ｃ１，Ｃ２毎の、対角線Ｃ１，Ｃ２に沿って面ガラスＢを挟んで互いに対向する二箇所のコーナー部Ｄの組み合わせ（対角線Ｃ１に沿って対向する組み合わせのコーナー部をＤ１と表記し、対角線Ｃ２に沿って対向する組み合わせのコーナー部をＤ２と表記する）の各々について、それらのコーナー部Ｄのリブ板部分に、面ガラスＢを両面から挟んで固定する固定部５を設けてあり、リブ板４と面ガラスＢとの隙間には全周に亘って弾性シール材６を充填してある。
【００１６】
前記固定部５の各々は、図２に示すように、面ガラスＢ側に対向する面に緩衝板７を接着固定してあって、長孔８を緩衝板７に亘って貫通形成してある二枚のステンレス鋼などの金属製接合板（接合金物）９と、面ガラスＢに貫通状態で固定してあるステンレス鋼などの金属製固定ピン１０とで構成してある。
【００１７】
前記二枚の接合板９は、リブ板４を挟んで、長孔８の長径方向の軸線が対角線Ｃ１，Ｃ２に一致するように、頭付き連結ボルト１１でリブ板４に一体に締め付け固定してあり、固定ピン１０は、両端部に雄ねじ部を備えた、長孔８の幅と略同じ外径の接合ボルト１２で構成してあり、面ガラスＢに形成したガラス貫通孔１３に両端部が突出するように挿通するとともに、ガラス貫通孔１３との間にブッシュ１４を嵌合して、面ガラスＢに固定してある。
【００１８】
そして、接合ボルト１２の突出部を各接合板９の長孔８の先端側内周面に係止されるように長孔８に挿通し、その長孔８から突出させた雄ねじ部の各々にナット１５を螺合して、軸組Ａの変形に伴う接合板９と面ガラスＢとのガラス面に沿う方向での相対移動を許容する状態で、一体固定してある。
【００１９】
前記緩衝板７及びブッシュ１４は、ポリアセタール樹脂やナイロン６６などの面ガラスＢよりも軟らかい樹脂やゴムなどの硬質材料で形成してあり、また、長孔８は、その長手方向端部が接合ボルト１２の外径と略同径の半円状のスリット状に形成して、接合ボルト１２をその長手方向に移動可能に挿通してある。
【００２０】
従って、対角線Ｃ１，Ｃ２に沿って互いに対向する二箇所のコーナー部Ｄが、図２（イ）に示すように、ガラス面に沿う方向で互いに離間するように変位するに伴って、固定ピン１０を介して、面ガラスＢ側の各固定部５間に引っ張り力Ｆｔが作用し、また、二箇所のコーナー部Ｄがガラス面に沿う方向で互いに近接するように変位するに伴って、図２（ロ）に示すように、接合板９と固定ピン１０とが長孔８に沿って相対移動して、面ガラスＢ側の各固定部５間に圧縮力Ｆｃが作用しないように設けてある。
【００２１】
又、二箇所のコーナー部Ｄの組み合わせの二組を、その組み合わせ毎の引っ張り力Ｆｔの作用方向が互いに交差するように配置してあるとともに、軸組Ａが、一方の対角線Ｃ１（Ｃ２）に沿って互いに対向する二つのコーナー部Ｄ１，Ｄ１（Ｄ２，Ｄ２）における梁部材１と支柱２との交差角が拡がり、他方の対角線Ｃ２（Ｃ１）に沿って互いに対向する二つのコーナー部Ｄ２，Ｄ２（Ｄ１，Ｄ１）における梁部材１と支柱２との交差角が狭まるように変形しても、少なくとも一方の組み合わせにおいて面ガラスＢ側の各固定部５間に引っ張り力Ｆｔが作用するように配置してある。
【００２２】
〔第２実施形態〕
図３，図４は、本発明による面ガラス固定構造の別実施形態を示し、固定部５の各々を、長孔８を貫通形成してある二枚のステンレス鋼などの金属製接合板（接合金物）９と、リブ板４に固定してあるステンレス鋼などの金属製固定ピン１０とで構成してある。
【００２３】
前記二枚の接合板９と面ガラスＢは、面ガラスＢに孔中心が対角線Ｃ１，Ｃ２上に並ぶように複数のガラス貫通孔１３を形成するとともに、各接合板９にガラス貫通孔１３と同じ間隔でボルト挿通孔１６を形成し、各ガラス貫通孔１３とボルト挿通孔１６とに亘って挿通した接合ボルト１２の両端部にナット１５を螺合して一体に締め付け固定してあり、接合ボルト１２とガラス貫通孔１３との間にブッシュ１４を嵌合してある。
【００２４】
前記固定ピン１０は、長孔８の幅と略同じ外径の頭付き連結ボルト１１で構成してあり、孔中心が対角線Ｃ１，Ｃ２上に位置するように貫通孔１７をリブ板４に形成するとともに、その貫通孔１７に長孔８が連通するようにリブ板４の両側を接合板９で挟み付け、連結ボルト１１を各接合板９の長孔８の先端側内周面に係止されるように貫通孔１７に挿通して、接合板９とリブ板４とを、軸組Ａの変形に伴うガラス面に沿う方向での相対移動を許容する状態で、ナット１８で一体固定してある。
【００２５】
そして、対角線Ｃ１，Ｃ２に沿って互いに対向する二箇所のコーナー部Ｄが、図４（イ）に示すように、ガラス面に沿う方向で互いに離間するように変位するに伴って、接合ボルト１２を介して、面ガラスＢ側の各固定部５間に引っ張り力Ｆｔが作用し、また二箇所のコーナー部Ｄがガラス面に沿う方向で互いに近接するように変位するに伴って、図４（ロ）に示すように、接合板９と固定ピン１０とが長孔８に沿って相対移動して、面ガラスＢ側の各固定部５間に圧縮力Ｆｃが作用しないように設けてある。
その他の構成は第１実施形態と同様である。
【００２６】
〔第３実施形態〕
図５は、本発明による面ガラス固定構造の別実施形態を示し、第１実施形態で示した面ガラス固定構造において、四角形の面ガラスＢのコーナー部Ｄから外れた部分、つまり、各辺の長手方向中間部とリブ板４との間に、ポリアセタール樹脂やナイロン６６などの面ガラスＢよりも軟らかい樹脂やゴムなどの硬質材料で形成してある緩衝材１９を挟み込んである。
【００２７】
その他の構成は第１実施形態と同様であるが、第２実施形態で示した面ガラス固定構造において、面ガラスＢの各辺の長手方向中間部とリブ板４との間に、前述の緩衝材１９を挟み込んであっても良い。
【００２８】
〔第４実施形態〕
図６は、本発明による面ガラス固定構造の別実施形態を示し、四辺形に組まれた軸組Ａの内周側に、その内周側を覆う上下二枚の面ガラスＢ（Ｂ１，Ｂ２）を固定してある。
【００２９】
前記面ガラスＢ１，Ｂ２の各々は、軸組Ａにおける左右二つのコーナー部Ｄ毎の、コーナー部Ｄと支柱長手方向中間位置との、面ガラスＢ１，Ｂ２を挟む二箇所の組み合わせの各々について、そのコーナー部Ｄのリブ板部分と、支柱長手方向中間位置のリブ板部分とに、面ガラスＢ１，Ｂ２を固定する固定部５を設けてあり、各面ガラスＢ１，Ｂ２の支柱長手方向中間位置の固定部５を構成している接合板９は一体に設けてある。
その他の構成は第１実施形態と同様であるが、第２実施形態で示した固定部５を設けて実施しても良い。
【００３０】
〔その他の実施形態〕
１．本発明による面ガラス固定構造は、台形などの四辺形に組まれた軸組の内側に、その内側を覆う面ガラスを固定してあっても良い。
２．本発明による面ガラス固定構造は、軸組の内周側の形状に沿う四辺形の面ガラスを固定するものに限定されず、軸組の内周側に固定可能な寸法であれば、任意の外周形状の面ガラスを固定しても良い。
３．本発明による面ガラス固定構造は、面ガラスを、軸組における面ガラスを挟む二箇所に、軸組が変形していない状態で、面ガラス側の各固定部間に引っ張り力が作用するように固定してあっても良い。
４．本発明による面ガラス固定構造は、軸組における面ガラスを挟む二箇所の双方が、軸組を構成している軸部の長手方向中間位置であっても良い。
この場合、面ガラスを挟む二箇所が、コーナー部を挟んで隣り合う軸部夫々の長手方向中間位置であっても良い。
５．本発明による面ガラス固定構造は、軸組における面ガラスを挟む二箇所の組み合わせの一組においてのみ、固定部を、二箇所がガラス面に沿う方向で互いに離間するように変位するに伴って、面ガラス側の各固定部間に引っ張り力が作用し、二箇所がガラス面に沿う方向で互いに近接するように変位するに伴って、面ガラス側の各固定部間に圧縮力が作用しないように設けてあっても良い。
６．本発明による面ガラス固定構造は、軸組における面ガラスを挟む二箇所のうちの一方に第１実施形態で示した固定部を設け、他方に第１実施形態で示した固定部を設けてあっても良い。
７．本発明による面ガラス固定構造は、第１実施形態において示した接合板を軸組側に溶接などで一体に固定してあっても良い。
８．本発明による面ガラス固定構造は、第２実施形態において示した固定ピンを軸組側に溶接などで一体に固定してあっても良い。
９．本発明による面ガラス固定構造は、第２実施形態において示した面ガラスと接合板とを、ボルトなどで厚み方向に強く締め付けて、面ガラスと接合板との摩擦力で相対移動しないように固定してあっても良い。
１０．本発明による面ガラス固定構造は、フロートガラス，強化ガラス，合わせガラス，複層ガラスなどのいずれの面ガラスを固定するものであっても良く、その品種や構成は限定されない。
【図面の簡単な説明】
【００３１】
【図１】面ガラス固定構造の側面図
【図２】要部断面図
【図３】第２実施形態を示す側面図
【図４】第２実施形態を示す要部断面図
【図５】第３実施形態を示す側面図
【図６】第４実施形態を示す側面図
【符号の説明】
【００３２】
３    軸部
５    固定部
Ａ    軸組
Ｂ    面ガラス
Ｄ    コーナー部
Ｆｃ  圧縮力
Ｆｔ  引っ張り力
【図１】
2005299315.tif 000003
【図２】
2005299315.tif 000004
【図３】
2005299315.tif 000005
【図４】
2005299315.tif 000006
【図５】
2005299315.tif 000007
【図６】
2005299315.tif 000008